(57)【特許請求の範囲】
【請求項１】
容器に通じる開口を形成する環状側壁を有するキャップ本体と、このキャップ本体の環状側壁に適合する環状胴部を有しその先端にて容器内の内容物を排出するバルブと、バルブの環状胴部の内側に配置されバルブをキャップ本体とともに挟圧支持する押さえ部材と、キャップ本体をバルブとともに覆い隠す蓋体からなるキャップにおいて、
前記キャップ本体の環状側壁の内表面と前記押さえ部材の外表面の少なくとも一方に、バルブの環状胴部に局所的又は連続的に食い込ませる凸部を設け、該凸部をバルブの環状胴部に食い込ませることによってキャップ本体と押さえ部材との間でバルブを強固に挟持し、
前記押さえ部材に、複数の排出孔を有する天面板を設けた、ことを特徴とするバルブ付きキャップ。
【請求項２】
バルブがスリット付きバルブである、請求項１記載のキャップ。
【請求項３】
凸部が、バルブの環状胴部の周りに沿い間隔をおいて配置される突起である、請求項１又は２記載のバルブ付きキャップ。
【請求項４】
凸部が、バルブの環状胴部の周りに沿って配置されるリング状のリブである、請求項１又は２記載のバルブ付きキャップ。
【発明の詳細な説明】
【０００１】
【発明の属する技術分野】
本発明は容器内の内容物を適量取り出すのに便利なバルブ付きのキャップに関し、該キャップの中栓の不用意な抜け落ちを確実に防止しようとするものである。
【０００２】
【従来の技術】
バルブ付きのキャップは、内容物を排出する経路を備えたバルブとしての中栓部分を、容器の口部に装着されるキャップ本体部分との間で、押さえ部材によって挟持する構造のものが一般的である。このバルブ付きのキャップは、容器の胴部を加圧して内圧を高め、中栓部分の中央に設けた排出経路を瞬時に開放させることにより内容物を適量取り出すことが可能であり液切れがよいこと、また、容器内の内容物が空気に触れる機会も非常に少なく長期にわたって品質を保持するのに有効であることから、化粧料や洗顔料を充填しておく容器に広く適用されており、この点に関する従来技術としては、リークテストにあたって、被せ蓋の密封リングとキャップ本体の突出リングとの間の気密性のみを検出できるようにした、特開平１１−９１８１７号公報に開示のようなキャップが知られている。
【０００３】
ところで、この種のキャップは、中栓部分が軟質なシリコン樹脂にて構成されており、該中栓部分を容器内に押し込むような力が付加された場合はその内側に押さえ部材が介在しているためとくに問題はないものの、それを引き抜くような力が付加された場合にキャップ本体と押さえ部材のあいだからすり抜けてしまうことも懸念され、該中栓部分のキャップ本体に対する強固な保持構造の開発が望まれている。
【０００４】
【発明が解決しようとする課題】
本発明の課題は、バルブとしての中栓部分が引っ張られるような力が付加された場合であっても、キャップ本体と押さえ部材との間で強固に保持できる新規なバルブ付きキャップを提案するところにある。
【０００５】
【課題を解決するための手段】
本発明は、容器に通じる開口を形成する環状側壁を有するキャップ本体と、このキャップ本体の環状側壁に適合する環状胴部を有しその先端にて容器内の内容物を排出するバルブと、バルブの環状胴部の内側に配置されバルブをキャップ本体とともに挟圧支持する押さえ部材と、キャップ本体をバルブとともに覆い隠す蓋体からなるキャップにおいて、
前記キャップ本体の環状側壁の内表面と前記押さえ部材の外表面の少なくとも一方に、バルブの環状胴部に局所的又は連続的に食い込ませる凸部を設け、該凸部をバルブの環状胴部に食い込ませることによってキャップ本体と押さえ部材との間でバルブを強固に挟持し、
前記押さえ部材に、複数の排出孔を有する天面板を設けた、ことを特徴とするバルブ付きキャップである。
【０００６】
上記の構成において、バルブはスリット付きバルブとするのが望ましい。
また、凸部は、バルブの環状胴部の周りに沿い間隔をおいて配置される突起とするか、あるいはバルブの環状胴部の周りに沿って配置されるリング状のリブとすることができる。
【０００７】
【発明の実施の形態】
以下、図面を用いて本発明をより具体的に説明する。
図１はバルブ付きキャップの構成をその断面につき模式的に示したものである。
【０００８】
図１において番号１は容器の口部に装着されるキャップ本体である。このキャップ本体１は容器の内部に通じる開口を形成する環状側壁１ａを有し、その環状側壁１ａの内表面には図２に示すように複数の凸部１ｂが一体的に設けられている。
【０００９】
また、２は容器内の内容物を排出する十字状のスリットs を有しキャップ本体１の環状側壁１ａを通してその先端を外側に突出させた例で示したバルブである。
【００１０】
バルブ２はキャップ本体１の環状側壁１ａに適合する環状胴部２ａを有していて、その末端には、一体成形になるフランジ部ｆが設けられている。
【００１１】
また、３はバルブ２の環状胴部２ａの内側に配置されバルブ２をキャップ本体１とともに挟圧支持する押さえ部材である。この押さえ部材３は図３にその外観を示す如く、その外表面にバルブ２の環状胴部２ａに局所的に食い込ませるための凸部３ａを一体的に備えていて、キャップ本体１にアンダーカットの如き係合手段にて固定されるようになっている。
【００１２】
４は、キャップ本体１をバルブ２とともに覆うねじ止め形式の例で示した蓋体である。
【００１３】
バルブ２がキャップ本体１と押さえ部材３との間に挟まれるとキャップ本体１の環状側壁１ａに設けられた凸部１ｂ及び押さえ部材３の凸部３ａが共にバルブ２の環状胴部２ａに食い込こむこととになり、バルブ２を引き抜くような力が付加されても簡単にすり抜けるようなことはない。
【００１４】
図４に上掲図１に示したキャップの外観斜視図を示す。
【００１５】
図５は本発明に従うキャップの構成例を示したものである。
この例は、押さえ部材３に複数の排出孔ｈを有する天面板３ｂを一体的に設けたものであり、このような押さえ部材３を備えることにより、例えバルブ２がすり抜けるようなことがあっても、排出孔ｈによって常に適量の内容物を取り出すことができる。
【００１６】
上掲図１においては、キャップ本体１の環状側壁１ａに設けた凸部１ｂと押さえ部材３の外表面に設けた凸部３ａについては、バルブ２の環状胴部２ａに局所的に食い込ませる突起を例として示したが、これは、図６、図７にそれぞれ示すように、バルブ２の環状胴部２ａの周りに沿って配置されるリング状のリブであってもよい。更には、前記凸部はキャップ本体と押さえ部材の何れか一方にのみ設ける構成とすることも可能である。
【００１７】
また、蓋体３については、ねじ止めタイプを例として示したが、蓋体３は図８に示すようなヒンジタイプのものでもよく、本発明ではねじ止め形式のものに限定されることはない。
【００１８】
バルブ２は軟質なシリコン樹脂が適用されるが、キャップ本体１及び押さえ部材３についてはバルブ２よりも硬質な合成樹脂が使用される。
【００１９】
【発明の効果】
本発明によれば、中栓としてのバルブを、キャップ本体に強固に保持でき内容物を安定して適量取り出すことができる。
【図面の簡単な説明】
【図１】  キャップの構成説明図である。
【図２】  図１に示したキャップの要部の外観斜視図である。
【図３】  図１に示したキャップの要部の外観斜視図である。
【図４】  図１に示したキャップの外観斜視図である。
【図５】  本発明に従うキャップの構成を示した図である。
【図６】  本発明に従うキャップの構成を要部について示した図である。
【図７】  本発明に従うキャップの構成を要部について示した図である。
【図８】  本発明に従うキャップの構成例を示した図である。
【符号の説明】
１ キャップ本体
１ａ 環状側壁
１ｂ 凸部
２ バルブ
２ａ 環状胴部
３ 押さえ部材
３ａ 凸部
３ｂ 天面部
４ 蓋体
ｓ スリット
ｆ フランジ
ｈ 排出孔
【図１】
0004484404.tif 000002
【図２】
0004484404.tif 000003
【図３】
0004484404.tif 000004
【図４】
0004484404.tif 000005
【図５】
0004484404.tif 000006
【図６】
0004484404.tif 000007
【図７】
0004484404.tif 000008
【図８】
0004484404.tif 000009